(57)【要約】少なくとも１用量の組成物を鼻腔内に送達するための送達装置（１０）であって、前記装置は、鼻腔内に挿入するために形成された放出部材（１２）であって、その中を通して放出開口部（２０）が形成されている放出部材と、少なくとも１用量の貯蔵器（２４）を含有する本体（１４）であって、前記本体は細長く概して長手軸（１６）に沿って伸びる本体とを有し、前記放出部材（１２）は第２軸（１８）に沿って伸び、前記第２軸（１８）は前記長手軸（１６）と交差して前記長手軸の横方向に配置されている、当該送達装置。
2012510827.tif 000002
【特許請求の範囲】
【請求項１】
鼻腔内へ少なくとも１用量の組成物を送達するための送達装置であって、当該装置は：
鼻腔内に挿入するために形成された放出部材であって、その中を通して放出開口部が形成されている放出部材；および、
少なくとも１用量の貯蔵器を含有する本体であって、細長く、概して長手軸に沿って伸びる本体；
を含み、ここで、前記放出部材は第２軸に沿って伸び、当該第２軸は前記長手軸と交差し、前記長手軸に対して横方向に配置される、
当該送達装置。
【請求項２】
前記第２軸は、前記長手軸と鋭角をなす、請求項１に記載の送達装置。
【請求項３】
前記第２軸は、前記長手軸に対して概して垂直である、請求項１に記載の送達装置。
【請求項４】
前記放出開口部を通して前記貯蔵器からの少なくとも１用量の送達を引き起こすためのトリガーであって、前記本体上に配置されており、前記放出部材から間隔をあけて位置する当該トリガーをさらに含む、請求項１に記載の送達装置。
【請求項５】
前記トリガーは、前記長手軸に対して横方向でそれに加えられる力によって作動可能であるように構成される、請求項４に記載の送達装置。
【請求項６】
前記放出部材は自由端で終了し、前記放出開口部は前記自由端を通して形成される、請求項１に記載の送達装置。
【請求項７】
前記放出開口部は、前記放出部材上の前記本体から最も遠い位置で形成される、請求項６に記載の送達装置。
【請求項８】
前記貯蔵器は、細長く前記長手軸に沿って伸びる、請求項１に記載の送達装置。
【請求項９】
前記貯蔵器の一部分は、前記長手軸から離れて横方向に伸びる、請求項８に記載の送達装置。
【請求項１０】
前記一部分は、前記送達装置の使用中において重力によって前記長手軸の下方で前記組成物を収集するためのウエルを備える、請求項９に記載の送達装置。
【請求項１１】
前記貯蔵器から前記放出開口部を通して前記少なくとも１用量を送達するためのポンプをさらに含む、請求項１０に記載の送達装置。
【請求項１２】
第１および第２末端、並びにそれらの間に伸びる管を有するディップチューブであって、前記第１末端は前記ウエルの前記長手軸から最も遠い区域に位置し、前記ディップチューブの第２末端は前記ポンプと連絡しており、前記管は前記ウエルを前記ポンプと連絡する、当該ディップチューブをさらに含む、請求項１１に記載の送達装置。
【請求項１３】
前記貯蔵器から前記放出開口部を通して前記少なくとも１用量を送達するためのポンプをさらに含む、請求項１に記載の送達器具。
【請求項１４】
前記貯蔵器から前記放出開口部を通して前記少なくとも１用量を送達するための前記ポンプの作動を引き起こすためのトリガーをさらに含む、請求項１３に記載の送達装置。
【請求項１５】
前記トリガーは、前記本体上に配置されており、前記放出部材から間隔をあけて位置する、請求項１４に記載の送達装置。
【請求項１６】
前記トリガーは、前記長手軸に対して横方向でそれに加えられる力を用いて作動可能であるように構成される、請求項１４に記載の送達装置。
【請求項１７】
前記放出部材は、前記本体へ不動に固定される、請求項１に記載の送達装置。
【請求項１８】
鼻腔内へ少なくとも１用量の組成物を送達するための送達装置であって、当該装置は：
鼻腔内に挿入するために形成された放出部材であって、その中を通して放出開口部が形成されている放出部材；
前記放出部材の周囲で少なくとも部分的に規定された停止面であって、前記放出部材から外向きに半径方向へ伸びており、前記放出部材を鼻腔内に挿入できる程度を限定する停止面；および
少なくとも１用量の貯蔵器を含有する本体であって、細長く、概して長手軸に沿って伸びる本体；
を含み、ここで、前記放出部材は第２軸に沿って伸び、当該第２軸は前記長手軸と交差し、前記長手軸に対して横方向に配置される、
当該送達装置。
【請求項１９】
前記本体の一部分は、ユーザーの顔面に係合するための静止面を規定できるように前記停止面に隣接した扁平形である、請求項１８に記載の送達装置。
【請求項２０】
鼻腔内へ少なくとも１用量の組成物を送達するための送達装置であって、当該装置は：
鼻腔内へ挿入するために形成された放出部材であって、その中を通して放出開口部が形成されている放出部材；および
少なくとも１用量の貯蔵器を含有する本体であって、細長く、概して長手軸に沿って伸びる本体を含み、ここで、前記放出部材は第２軸に沿って伸び、当該第２軸は前記長手軸と交差し、前記長手軸に対して横方向に配置されており；さらに、
前記貯蔵器は細長く、前記長手軸に沿って伸びており；および
前記貯蔵器の一部分は、前記長手軸から離れて横方向に伸びて、前記送達装置の使用中において重力によって前記長手軸の下方にある液体または粉末組成物を収集するためのウエルを規定する、
当該送達装置。
【請求項２１】
前記貯蔵器から前記放出開口部を通して前記少なくとも１用量を送達するためのポンプを含む、請求項２０に記載の送達装置。
【請求項２２】
第１および第２末端、並びにそれらの間に伸びる管を有するディップチューブであって、前記第１末端は前記ウエルの前記長手軸から最も遠い区域に位置し、前記ディップチューブの第２末端は前記ポンプと連絡しており、前記管は前記ウエルを前記ポンプと連絡する、当該ディップチューブを含む、請求項２１に記載の送達装置。
【請求項２３】
請求項１に記載の送達装置および少なくとも１つの活性医薬品を含む組成物を含む薬物製品。
【請求項２４】
前記少なくとも１つの活性医薬品は、モメタゾンフロエート一水和物を含む、請求項２３に記載の薬物製品。
【請求項２５】
前記組成物は、液体である、請求項２０に記載の薬物製品。
【請求項２６】
前記組成物は、粉末である、請求項２０に記載の薬物製品。
【請求項２７】
鼻腔内へ少なくとも１用量の組成物を送達するための送達装置であって、当該装置は：
鼻腔内へ挿入するために形成された放出部材であって、その中を通して放出開口部が形成されている放出部材；
少なくとも１用量の貯蔵器を含有する本体であって、細長く、概して長手軸に沿って伸びる本体；および
前記放出開口部を通して前記貯蔵器からの少なくとも１用量の送達を引き起こすためのトリガーであって、前記本体上に配置されており、前記放出部材から間隔を開けて位置するトリガー；
を含み、
ここで、前記放出部材は第２軸に沿って伸び、前記第２軸は前記長手軸と交差し、前記長手軸に対して横方向に配置されており；および
前記トリガーは作動のためにそれに力が加えられるように構造化されており、当該力は前記長手軸に概して斜めの方向で加えられる、
当該送達装置。
【請求項２８】
前記第２軸は、前記長手軸と鋭角をなす、請求項２７に記載の送達装置。
【請求項２９】
前記鋭角は、約１５°〜約４５°の範囲内にある、請求項２８に記載の送達装置。
【請求項３０】
前記作動させるための力は、第２軸に概して平行の方向で前記トリガーに加えられる、請求項２７に記載の送達装置。
【請求項３１】
前記放出部材は自由端で終了し、前記放出開口部は前記自由端を通して形成される、請求項２７に記載の送達装置。
【請求項３２】
前記放出開口部は、前記放出部材上の前記本体から最も遠い位置で形成される、請求項３１に記載の送達装置。
【請求項３３】
前記貯蔵器から前記放出開口部を通して前記少なくとも１用量を送達するためのポンプをさらに含む、請求項２７に記載の送達器具。
【請求項３４】
前記トリガーは、前記本体へ旋回可能に連結される、請求項２７に記載の送達装置。
【請求項３５】
前記トリガーは中心軸に沿って伸び、前記中心軸は前記長手軸と鋭角をなす、請求項２７に記載の送達装置。
【請求項３６】
前記鋭角は、約１５°〜約４５°の範囲内にある、請求項３５に記載の送達装置。
【請求項３７】
前記作動させるための力は、前記中心軸に概して垂直の方向で前記トリガーに加えられる、請求項３５に記載の送達装置。
【請求項３８】
請求項２７に記載の装置および少なくとも１つの活性医薬品を含む組成物を含む薬物製品。
【請求項３９】
前記少なくとも１つの活性医薬品は、モメタゾンフロエート一水和物を含む、請求項３８に記載の薬物製品。
【発明の詳細な説明】
【技術分野】
【０００１】
本発明は、少なくとも１用量の組成物を鼻腔に送達するための装置に関する。
【背景技術】
【０００２】
鼻腔スプレー吸入器は、先行技術において公知である。鼻腔スプレー吸入器は、鼻腔内に挿入するために形成された細長い放出部材を含むことができる。貯蔵器が放出部材に連結されており、スプレー作動は、貯蔵器に対して放出部材を押し込む（ｓｑｕｅｅｚｉｎｇ）ことによって達成される。そのような装置は、幾つかの欠陥に悩まされる。第１に、放出部材は、鼻腔内への十分な挿入およびユーザーの指によるその周囲への適応の必要のために実質的に長い長さを有する。さらに、患者の指が放出部材の掴み面の上および彼らの鼻の下方に配置された場合に、スプレー開口部を有する放出部材の先端を、後鼻腔への薬物の送達を行うために適切な距離をあけ、かつ鼻弁と軸方向に整列する位置で、確実に鼻孔内に配置するのが困難である。装置を作動させるために必要な押し込み動作中に、放出部材の先端は患者の入力動作に反応して動くことがあり、これは結果として整列不良や不十分な用量投与を生じさせる可能性がある。さらに、これらの設計は、例えば親が子供にスプレーを投与する場合におけるように、薬物を他の人に投与する場合には、使用が困難かつ非衛生的になる可能性がある。
【０００３】
したがって、これらの欠点を克服する新規な鼻腔スプレー装置が必要である。
【発明の概要】
【０００４】
本発明の幾つかの実施形態は、鼻腔内へ少なくとも１用量の組成物を送達するための送達装置を提供する。組成物は、液体または粉末組成物であってよい。本送達装置は、鼻腔内へ挿入するために形成された放出部材であって、その中を通して放出開口部が形成されている放出部材を含んでいる。本送達装置は、液体または粉末組成物などの少なくとも１用量の組成物の貯蔵器（ｒｅｓｅｒｖｏｉｒ）を含有する本体（ｂｏｄｙ）をさらに含むことができる。当該本体は細長く、概して長手軸に沿って伸びる。さらに、前記放出部材は、第２軸に沿って伸びる。この第２軸は、長手軸と交差し、該長手軸に対して横方向に配置される。
【０００５】
有益にも、送達装置の本体と軸方向に整列していない放出部材を有する送達装置が提供される。この態様では、本体は、用量投与中にユーザーの顔面から離して保持することができる。さらに、比較的短い放出部材を提供することができる。
【０００６】
他の実施形態は、鼻腔内へ少なくとも１用量の組成物を送達するための送達装置であって、該装置は、鼻腔内へ挿入するために形成された放出部材であって、その中を通して放出開口部が形成されている放出部材と；該放出部材の周囲で少なくとも部分的に規定された停止面であって、該放出部材から外向きに半径方向へ伸びており、該放出部材を鼻腔内に挿入できる程度を限定する停止面と；、少なくとも１用量の貯蔵器を含有する本体であって、細長く、概して長手軸に沿って伸びる本体とを含み、ここで、該放出部材は第２軸に沿って伸び、該第２軸は該長手軸と交差し、該長手軸に対して横方向に配置される、装置を提供する。
【０００７】
本発明のいくつかの実施形態は、鼻腔内へ少なくとも１用量の組成物を送達するための送達装置であって、該装置は、鼻腔内へ挿入するために形成された放出部材であって、その中を通して放出開口部が形成されている放出部材と；、少なくとも１用量の貯蔵器を含有する本体であって、細長く、概して長手軸に沿って伸びる本体とを含み、ここで、該放出部材は第２軸に沿って伸び、該第２軸は該長手軸と交差し、該長手軸に対して横方向に配置されており；さらに、該貯蔵器は細長く、該長手軸に沿って伸び；および、該貯蔵器の一部分は、該長手軸から離れて横方向に伸びて、該送達装置の使用中において重力によって該長手軸の下方にある液体または粉末組成物を収集するためのウエルを規定する、装置を提供する。
【０００８】
本発明の他の実施形態は、送達装置と、少なくとも１つの活性医薬品を含む組成物とを含む薬物製品を提供する。適切な活性医薬品には、モメタゾンフロエート、例えばモメタゾンフロエート一水和物もしくはモメタゾンフロエート無水物、フルチカゾンフロエート、フルチカゾンプロピオネート、ブデソニド、トリアムシノロン、シクレソニド、オキシメタゾリン、アゼラスチン、オロパタジン、モンテルカストおよびそれらの組み合わせまたは医薬的に許容される塩が含まれるがそれらに限定されない。
【０００９】
本発明のいくつかの実施形態は、鼻腔内へ少なくとも１用量の組成物を送達するための送達装置であって、該装置は、鼻腔内に挿入するために形成された放出部材であって、その中を通して放出開口部が形成されている放出部材と；、少なくとも１用量の貯蔵器を含有する本体であって、細長く、概して長手軸に沿って伸びる本体と；該放出開口部を通して該貯蔵器からの少なくとも１用量の送達を引き起こすためのトリガーであって、該本体上に配置されていて該放出部材から間隔をあけているトリガーとを含み；ここで、該放出部材は第２軸に沿って伸び、該第２軸は該長手軸と交差し、該長手軸に対して横方向に配置されており；および、該トリガーは作動のためにそれに力が加えられるように構造化されており、該力は該長手軸へ概して斜めの方向で加えられる、装置を提供する。第２軸は、長手軸と鋭角をなすことができる。鋭角は、約１５°〜約４５°の範囲内にあってよい。作動させるための力は、第２軸に概して平行な方向でトリガーに加えることができる。放出部材は、自由端（ｆｒｅｅ
ｅｎｄ）で終了することができ、その場合、放出開口部は該自由端を通して形成され得る。放出開口部は、放出部材上の本体から最も遠い位置に形成されてよい。貯蔵器から放出開口部を通して少なくとも１用量を送達するためのポンプを含むことができる。トリガーは、本体に旋回可能に取り付けることができる。トリガーは、中心軸に沿って伸びてよく、該中心軸は長手軸と鋭角をなす。鋭角は、約１５°〜約４５°の範囲内にあってよい。作動のための力は、中心軸に概して垂直な方向でトリガーに加えることができる。その他の実施形態は、装置と、少なくとも１つの活性医薬品を含む組成物とを備える薬物製品を提供する。適切な、少なくとも活性な医薬品には、モメタゾンフロエート、例えばモメタゾンフロエート一水和物もしくはモメタゾンフロエート無水物が含まれる。
【００１０】
本発明の上記特徴及びその他の特徴は、以下の詳細な説明および添付の図面を検討することを通して、より明確に理解されるであろう。
【図面の簡単な説明】
【００１１】
【図１】図１は、本発明の種々の実施形態によって形成された送達装置を示す図である。
【図２】図２は、本発明の種々の実施形態によって形成された送達装置を示す図である。
【図３】図３は、本発明の種々の実施形態によって形成された送達装置を示す図である。
【図４】図４は、本発明の種々の実施形態によって形成された送達装置を示す図である。
【図５】図５は、本発明の種々の実施形態によって形成された送達装置の使用を示す略図である。
【図５Ａ】図５Ａは、本発明の種々の実施形態によって形成された送達装置を作動させるための力の適用を示す略図である。
【図６】図６は、本発明の種々の実施形態によって形成された送達装置の部分図である。
【図７】図７は、本発明の種々の実施形態によって形成された送達装置の部分図である。
【図８】図８は、本発明の種々の実施形態によって形成された送達装置の分解組立図である。
【図９】図９は、本発明の種々の実施形態によって形成された送達装置の様々な作動段階を示す図である。
【図１０】図１０は、本発明の種々の実施形態によって形成された送達装置の様々な作動段階を示す図である。
【図１１】図１１は、本発明の種々の実施形態によって形成された送達装置の様々な作動段階を示す図である。
【図１２】図１２は、本発明の種々の実施形態とともに使用可能な貯蔵器を示す図である。
【図１３】図１３は、本発明の種々の実施形態とともに使用可能な貯蔵器を示す図である。
【発明を実施するための形態】
【００１２】
概して図面に示したように、本発明の幾つかの実施形態は、液体または粉末組成物などの少なくとも１用量の組成物をユーザーの鼻腔内へ送達するための送達装置１０を提供する。送達装置１０は、概して放出部材１２および本体１４を含んでいる。図２を参照すると、本体１４は、細長く、長手軸１６に沿って伸びる。放出部材１２は、第２軸１８に沿って伸びる。第２軸１８は、長手軸１６と交差し、該長手軸１６に対して横方向に配置される。この配列を用いると、放出部材１２は、長手軸１６と軸方向に整列しない。図２に示したように、角度αは、長手軸１６と第２軸１８とによって成されてよい。角度αは、９０°または鋭角、例えば約１５°〜約４５°の範囲内、もしくは約３０°であることができる。
【００１３】
放出部材１２は、鼻腔内に挿入するために形成される。幾つかの実施形態では、放出部材１２は、概して弾丸型である。放出部材１２は、０．７５’’の最大長および０．５’’の最大径を有することができる。放出開口部２０は、液体または粉末組成物などの少なくとも１用量の組成物が送達装置１０から送達されることを許容するために放出部材１２を通して形成される。放出部材１２は、自由端２２を有するために本体１４から伸びる。放出開口部２０は自由端２２を通して（例えば、自由端２２の中央を通して）形成されてよく、または放出開口部２０は放出部材１２の上の本体１４から最も遠い場所に形成されてよい。放出部材１２は、鼻腔内に挿入するために適切な様々な材料から形成されてよい。
【００１４】
放出部材１２は、本体１４に動かないように固定することができる。放出部材１２は、本体１４と一体成形されてよく、または任意の公知の技術を使用してそれに取り付けられてよい。
【００１５】
本体１４は、送達装置１０によって投与される少なくとも１用量を収容する貯蔵器２４（図６および７に最も明確に図示されている）を含有している。さらに、トリガー２６は、貯蔵器２４から放出開口部２０を通して少なくとも１用量の組成物の送達を誘発するように形成された本体１４上に提供されることができる。トリガー２６は、本体１４の上に放出部材１２から間隔をあけて配置することができる。トリガー２６は、図２において略図で矢印Ｆによって示したように、長手軸１６に対して横向きの方向でそれに加えられる力を用いて作動するように適応させることができる。この配置の場合には、図５に示したように、送達装置１０は、ユーザーの鼻腔３０内に入れられている放出部材１２をユーザーの顔面の上唇２８に押し付けることができる。放出部材１２から間隔があけられたトリガー２６を用いると、送達装置１０の作動は、ヒトの顔面が邪魔にならずに達成することができ、片手で操作できる。トリガー２６は、図５に示したように、使用中に上方向に向けることができるように、本体１４の上側に配置されてよい。さらに、送達装置１０の前端３２は、上唇２８に押し付けられると、作動中の静止面（ｒｅｓｔｉｎｇ
ｓｕｒｆａｃｅ）として機能する。この配置の場合には、本発明は、作動中における送達装置１０の安定したポジショニングおよび鼻腔３０内での放出開口部２０の効果的配置を提供する。
【００１６】
図５を参照すると、送達装置１０は、トリガー２６の作動を引き起こす際にその力または運動に反応した放出部材１２への任意の運動に対抗するためにユーザーの親指Ｔを配置できるように形成できる。親指Ｔの適正な配置を促進するためには、本体１４上に、トリガー２６に加えられる任意の力またはモーメントに対抗できるように配置される識別可能な領域（ｉｄｅｎｔｉｆｉａｂｌｅ
ａｒｅａ）２５を規定できる。識別可能な領域２５は、本体１４とは相違する材料の領域；および／または本体１４上の輪郭を付けた、凸凹を付けた、および／または着色した領域であってよい。親指Ｔの所望の配置を示す際には、送達装置１０に対応する取扱説明書を頼ることができる。
【００１７】
図４を参照すると、連続もしくは不連続の停止面（ｓｔｏｐ
ｓｕｒｆａｃｅ）３３は、放出部材１２の基部の周囲で少なくとも部分的に規定することができる。停止面３３は、環状であって、放出部材１２を取り囲んでいることができる。図４に示したように、停止面３３は、放出部材１２から外向きに半径方向に伸びている。図５を参照すると、停止面３３は、放出部材１２の挿入深さを限定する際にユーザーの鼻３４に押し付けるように機能する。挿入深さを限定する能力は、ユーザーの生体構造に関連した放出開口部２０のポジショニングを可能にする。ユーザーの鼻内へ鼻腔送達装置を挿入する程度は、鼻腔内に１用量が送達される距離のために送達された用量の沈着に影響を及ぼす。停止面３３によって、放出開口部２０のより正確な配置が提供される。
【００１８】
さらに、前端３２は、装置１０の鼻弁をユーザーの鼻３４と角度方向（ａｎｇｕｌａｒｌｙ）に整列させる際に上唇２８に接触して機能するための安定性の整列面を提供するために、扁平形もしくは切断形であってよく、または停止面３３に隣接する小さな湾曲部を備えていてよい。前端３２は、トリガー２６への作動力の適用中を含む、揺動または他の角度もしくは回転変動を最小限に抑える。
【００１９】
送達装置１０の本体１４に対して傾斜した放出部材１２によって、配置および作動中に、患者の手が患者の顔面から離れて位置する。これにより、患者の手が鼻から離れて位置するので、患者の手が鼻汁と接触することを回避することができる。放出部材１２は、上唇２８の上方かつ鼻腔３０の下方で顔面に接触して配置されるように設計されており、鼻は、鼻腔３０内に配置された場合に鼻弁を備える放出部材のスプレー開口部を軸方向に配置する際の基準面として役立つ。したがって、鼻の下面は、放出部材１２が鼻腔３０内で上向きに配置される場合に、深さの位置決め（ｌｏｃａｔｏｒ）を提供する。放出部材１２の長さは、鼻腔３０内に配置されると、鼻弁から適正な間隔をあけて放出開口部２０を配置するためには、先行技術に比較して短い。さらに、装置１０のトリガー２６および本体１４は、作動中の放出部材１２を移動させる任意の反応モーメントを最小限に抑えて、作動中に反対方法で力および反力を概して調整させるように設計された。これらの３つの機能（ハンズ・アウェイ作動；深さ位置決め；作動力および反対力の一般的方向付け）の組み合わせは、投与中の適正な配置の可能性を増加させ、ユーザーにとってより容易な投与を可能にする。
【００２０】
図５Ａを参照すると、力Ｆは、長手軸１６に斜めの方向でトリガー２６に加えることができる。鋭角βは、トリガー２６の中心軸Ｃと長手軸１６との間で形成することができ、このときトリガー２６は作動の準備完了状態にある。下記で考察するように、トリガー２６はレバー型アクチュエーターであってよく、力Ｆは、トリガー２６の作動を引き起こすモーメントを生成する。中心軸Ｃに対して考えた場合に、力Ｆがトリガー２６に概して垂直に加えられると、力Ｆは、長手軸１６に対して斜めに配置される。さらに、角度αおよびβは、等しくてもよい。この配置を用いる場合、力Ｆは、第２軸１８に対して平行であってよい。第２軸１８は、送達装置１０によって送達される流体の経路と一致し得る。したがって、力Ｆは、流体の送達路と平行であってよい。角度βは、約１５°〜約４５°の範囲内、または約３０°であってよい。力Ｆと流体送達路が平行となる配置の場合、力Ｆの適用によって作り出されたモーメントは、流体の送達によって作り出される力に対抗される。さらに、上記で考察したように、親指Ｔは、トリガー２６に加えられた力Ｆを相殺する反作用力を提供する。図５Ａを参照すると、親指Ｔによって生成される力ＦＴが示されている。図５Ａに示したように、トリガー２６は、軸Ａについて旋回する。力ＦおよびＦＴは、その周囲で反作用運動を生成できるように軸Ａから概して等間隔で加えることができる。
【００２１】
当業者であれば認識できるように、送達装置１０は、自己投与、または第三者によってユーザーへ投与することができる。例えば、親または開業医は、子供または高齢患者に送達装置１０によって少なくとも１用量の組成物を投与することができる。
【００２２】
貯蔵器２４から放出開口部２０を通して１用量の組成物を送達するための任意の構造、特にトリガー駆動構造を利用できる。非限定的な例として、放出開口部２０を通して貯蔵器２４から１用量の組成物を送達するためにポンプ３６を提供することができる。ポンプ３６には、図７および１３に最も明瞭に示したように、放出チューブ３８を備えることができる。ポンプ３６は、定量式鼻腔スプレーに用いられる任意のポンプと同一方法で構成することができ、この場合には貯蔵器２４内へ放出チューブ３８を押し込むことにより、１用量の組成物が放出チューブ３８を通して放出される。貯蔵器２４は、定量式鼻腔スプレーのキャニスター（ｃａｎｉｓｔｅｒ）であってよい。本発明に関して、放出チューブ３８は、本体１４内に配置された停止ブロック４０に固定することができる。放出チューブ３８は、停止ブロック４０内の対応する開口部４４内に受け入れられるように形成された薄層化領域（ｔｈｉｎｎｅｄ
ｒｅｇｉｏｎ）４２を含むことができる。ショルダー４６は、開口部４４より大きく形成されている薄層化領域４２の周囲で放出チューブ３８上に規定されている。停止ブロック４０を本体１４内に固定すると、貯蔵器２４の移動はショルダー４６と停止ブロック４０との間の相互係合（ｉｎｔｅｒｅｎｇａｇｅｍｅｎｔ）を引き起こす。貯蔵器２４がさらに前進移動すると、ショルダー４６は、放出チューブ３８の運動を制限する。貯蔵器２４がさらに移動し、放出チューブ３８の前進移動が制限されると、放出チューブ３８はポンプ３６内に押し込まれ、ポンプ３６の作動を生じさせる。
【００２３】
放出開口部２０を通して放出チューブ３８から少なくとも１用量の組成物の送達を許容するためには、開口部４４を与えるためにそれを通して形成されたチャネル５０を有する方向転換要素４８が用意される。チャネル５０は、順に、流体の送達を許容するために放出開口部２０と位置決めされる。チャネル５０は、相互から角度方向に偏っている第１および第２区域５０Ａ、５０Ｂを含んでいる。区域５０Ａ、５０Ｂは、上記に記載したように角度方向に角度αだけ偏っていてよい。停止ブロック４０および方向転換要素４８は、別個に形成して結合されてよく、または単一構成要素として一体成形されてよい。ノズル５２は、投与された用量の結果として生じるスプレーパターンを制御するために停止ブロック４０と放出開口部２０との間の流体路に沿って配置することができる。ノズル５２は、放出開口部２０を規定するために配置できる。
【００２４】
上述した配置を用いると、トリガー２６は、図２に示したようにトリガー２６が作動させられるとその前進移動を引き起こすように貯蔵器２４に連結することができる。用量の投与後、（および先行技術において公知であるように）トリガー２６から力を取り除くと、ポンプ３６には、さらにその後の用量投与のための準備完了位置へ貯蔵器２４を推進するために、例えば伸縮バネなどのリターン機構を用意することができる。
【００２５】
図８を参照すると、ポンプ３６を作動させるための、本発明とともに使用可能な構造が示されている。図８に示したように、本体１４は、各々上方および下方の筐体（ｈｏｕｓｉｎｇ）部材をなすことのできる第１および第２構成成分５４、５６から形成されてよい。トリガー２６は、本体１４に、例えば第１構成成分５４などに旋回可能に取り付けられるレバーの形状で用意されてよい。旋回取り付けは、末端ピンホルダー６０、６２によって本体１４上に保持されたピン５８によって規定することができる。トリガー２６は、本体１４に対してピン５８の周囲で回転するように構造化されたトリガー２６を用いてピン５８を受け入れるように形成された通路６４を含むことができる。ピン５８は、上記で考察した軸Ａを規定することができる。
【００２６】
アクチュエーター６６は、その前進移動を引き起こす目的でトリガー２６から貯蔵器２４に力を伝達するために設けられる。アクチュエーター６６は、各々がそれを通して形成された開口部７０を有している少なくとも１つの取り付けブロック６８または２つの取り付けブロック６８を含んでいる。開口部７０は、ピン５８を受け入れるように形成される。アクチュエーター６６は、１つ以上の開口部７０を通過するピン５８を備えて本体１４内に形成された開口部７２を通って伸びる１つ以上の取り付けブロック６８を用いて本体１４内に取り付けられる。トリガー２６の通路６４は、末端部材７４内に規定される。１つ以上の取り付けブロック６８は、末端部材７４の一端または両端に隣接させて配置される。
【００２７】
アクチュエーター６６は、貯蔵器２４上の対応する作動面７８に接して係合するように形成および配置された１つ以上の作動アーム７６もまた含んでいる。アクチュエーター６６は、用意される２つの作動アーム７６を備えるヨーク型（ｙｏｋｅ
ｓｈａｐｅ）を有していてよく、作動アーム７６は貯蔵器２４にまたがるように間隔があけられている。作動アーム７６が前方へ推進されると、作動面７８に力が加えられ、結果として貯蔵器２４の前進移動が生じる。
【００２８】
力をトリガー２６からアクチュエーター６６に伝達するために、末端部材７４の一端または両端には円周長さが限定された突起部８０が用意されている。さらに、ノッチ８２は、突起部８０の１つが係合するように構造化された取り付けブロック６８の各々に形成される。
【００２９】
図９〜１１を参照すると、送達装置１０の作動が様々な段階で示されている。図９は、非活性状態にある送達装置を示している。この状態では、ポンプ３６によって生成されるリターン力が貯蔵器２４を本体１４に対して最後尾の状態に維持する。
【００３０】
図１０を参照すると、トリガー２６は、使用準備完了状態で示されているが、このとき突起部８０はノッチ８２と接触している。図９に示したように、不活性状態では、突起部８０は、ノッチ８２から間隔をあけている。トリガー２６は、非活性状態から使用準備完了状態へ回転させられる。トリガー２６の使用準備完了状態への回転は、突起部８０とノッチ８２とが全く接触することなく自由に行われる。突起部８０の円周長さならびにノッチ８２の形状およびポジショニングは、使用準備完了状態のためのトリガー２６の半径方向位置を規定する。より詳細には、突起部８０の円周長さならびにノッチ８２の形状およびポジショニングは、角度βを規定する。
【００３１】
作動を引き起こすためには、図２に示したようにトリガー２６に力が加えられると、結果として図１１に示したようにトリガー２６の押下げが生じる。力を受けると、トリガー２６は図１０に示した位置から図１１に示した位置へのトリガー２６の回転を伴って回転し、結果として突起部８０がノッチ８２を前方へ推進することを引き起こす。ピン５８に旋回可能に取り付けられたアクチュエーター６６を用いると、突起部８０はノッチ８２がピン５８の周囲で回転することを引き起こす。ノッチ８２の回転は、１つ以上の作動アーム８６の旋回運動を生じさせる。結果として、作動アーム８６は作動面７８を圧迫し、貯蔵器２４の前進移動を引き起こす。貯蔵器２４は、ポンプ３６の適正な作動および１用量の組成物の投与を引き起こすために十分に前方へ推進される。放出チューブ３８は、図９および１０に示した状態では視認できるが、図１１に示した状態では視認できない。作動状態では、放出チューブ３８は、作動のためにポンプ３６内に押し込まれる。
【００３２】
用量投与後にトリガー２６から力が取り除かれると、ポンプ３６からのリターン力は、例えば図９に示した状態などの非活性状態へ貯蔵器２４を後方に推進する。さらにトリガー２６は、図１０に示したように使用準備完了状態へ戻される。トリガー２６を作動させるために必要とされる任意の作動力は、ポンプ３６のバイアスリターン力を克服するためには十分に大きくなければならない。
【００３３】
放出開口部２０を被覆するためには、キャップ８４を用意することができる（図３および９）。放出部材１２とキャップ８４との間には解除可能な固定配置を用意できる。図４に示したように、解除可能な固定配置は、放出部材１２とキャップ８４上に形成された協働式の固定用戻り止め（ｄｅｔｅｎｔ）８６および固定用開口部８８であってよい。図４は、放出部材１２上に形成されている固定用戻り止め８６を示しており、固定用開口部８８はキャップ８４上に形成されている。逆の構造もまた用意することができる。キャップ８４は、さらにまたトリガー２６上に、またはトリガー２６の末端に用意することができる。不活性状態では、図９に示したように、トリガー２６は、放出開口部２０を被覆するキャップ８４とともに折り曲げることができる。
【００３４】
図１２および１３を参照すると、貯蔵器２４は細長くてよく、長手軸１６に沿って伸びるように形成されてよい。概して作動中に送達装置１０を水平位置に置くと、貯蔵器２４内に保管された流体の効率的な消費が問題となることがある。図１２および１３に示したように、貯蔵器２４の部分９０は、長手軸１６から離れて横方向に伸びることができる。部分９０は、重力によって長手軸１６の下方の液体または粉末組成物を収集するためのウエル９２を規定することができる。この配置を用いる場合、貯蔵器２４内の低量の液体または粉末組成物をウエル９２内に収集することができる。第１および第２末端９６、９８ならびにそれらの間に伸びる管（ｌｕｍｅｎ）１００を有するディップチューブ（ｄｉｐ
ｔｕｂｅ）９４をさらに用意することができる。第１末端９６はウエル９２内またはウエル９２の最底部区域（長手軸１６から最も遠い区域）に位置することができ、ディップチューブ９４の第２末端９８はポンプ３６と連絡している。配置されると、管１００は、ポンプ３６とウエル９２を連絡する。このようにして、低量の液体または粉末組成物をユーザーに送達するためにウエル９２から引き出すことができる。
【００３５】
本発明の実施形態の説明は、例示および説明の目的で提示してきた。それらは、完全であること、または本発明を本明細書に開示した正確な形態に限定することは意図しておらず、上記の教示に照らせば明白に多数の変形および変動が可能である。
【図１】
2012510827.tif 000003
【図２】
2012510827.tif 000004
【図３】
2012510827.tif 000005
【図４】
2012510827.tif 000006
【図５】
2012510827.tif 000007
【図５Ａ】
2012510827.tif 000008
【図６】
2012510827.tif 000009
【図７】
2012510827.tif 000010
【図８】
2012510827.tif 000011
【図９】
2012510827.tif 000012
【図１０】
2012510827.tif 000013
【図１１】
2012510827.tif 000014
【図１２】
2012510827.tif 000015
【図１３】
2012510827.tif 000016
【国際調査報告】
2012510827.tif 000017
2012510827.tif 000018
2012510827.tif 000019
2012510827.tif 000020
2012510827.tif 000021